(57)【要約】      （修正有）【課題】光受動網においてＯＬＴの送信パワーを削減し、パワー差によってＯＮＵの受信側に生じるＡＧＣの応答時間を削減する。【解決手段】ＯＬＴ側で送信パワーのランクを設定し、ランクが同じまたは近い順にフレームの順番をソートして、ＯＮＵの受信側に生じるＡＧＣの応答時間を削減する。【選択図】図８
2014138228.tif 000002
【特許請求の範囲】
【請求項１】
第１の装置と、
前記第１の装置と接続される複数の第２の装置とを有し、
前記第１の装置は、
前記複数の第２の装置それぞれと前記複数の第２の装置それぞれへの第１の信号を送信する際の強度である送信強度とを対応づける送信強度情報を保持し、
保持する前記送信強度情報の送信強度に基づいて前記第１の信号を送信する送信順序を決定し、
前記複数の第２の装置それぞれに対応する前記送信強度の前記第１の信号を、決定した前記送信順序で前記複数の第２の装置へ送信する
ことを特徴とする通信システム。
【請求項２】
前記第１の装置は、
保持する前記送信強度情報の前記送信強度のうち同じ送信強度である前記複数の第２の装置への前記第１の信号の送信順序を、前記第１の信号を連続して送信する順に決定する
ことを特徴とする請求項１に記載の通信システム。
【請求項３】
前記第１の装置は、
前記送信強度情報の送信強度のうち異なる送信強度である前記複数の第２の装置への前記第１の信号の送信順序を、送信強度順に決定する
ことを特徴とする請求項２に記載の通信システム。
【請求項４】
前記第１の装置は、
前記複数の第２の装置と前記複数の第２の装置が前記第１の信号を受信する際の強度である受信強度のうち下限の受信強度とを対応づける下限受信強度情報を保持し、
前記複数の第２の装置に所定の送信強度で前記第１の信号を送信し、
前記複数の第２の装置それぞれは、
前記第１の信号を受信すると、前記受信強度を算出し、
前記第１の装置への第２の信号に算出した前記受信強度を含めて送信し、
前記第１の装置は、
前記第２の信号を受信すると、前記第２の信号に含まれる前記受信強度を取得し、
前記所定の送信強度と取得した前記受信強度と前記最小受信強度情報の前記下限の受信強度とに基づいて、新たな送信強度を決定し、
決定した前記新たな送信強度に基づいて前記送信強度情報を更新し、
更新した前記送信強度情報の送信強度に基づいて前記第１の信号の前記送信順序を決定する
ことを特徴とする請求項３に記載の通信システム。
【請求項５】
前記第１の装置は、
前記第１の信号の送信順序を、高い送信強度から低い送信強度への送信強度降順および前記低い送信強度から前記高い送信強度への送信強度昇順で決定し、
前記第１の信号を前記送信強度降順で送信した後に送信強度昇順で送信する
ことを特徴とする請求項４に記載の通信システム。
【請求項６】
前記通信システムは、
光通信を行う光アクセスシステムであり、
前記第１の装置は、
前記光アクセスシステムを構成するＯＬＴ（Ｏｐｔｉｃａｌ  Ｌｉｎｅ  Ｔｅｒｍｉｎａｌ）であり、
前記第２の装置は、
前記ＯＬＴと前記光通信を行うＯＮＵ（Ｏｐｔｉｃａｌ  Ｎｅｔｗｏｒｋ  Ｕｎｉｔ）である
ことを特徴とする請求項１ないし請求項５に記載の通信システム。
【請求項７】
複数の他の通信装置それぞれと前記複数の他の通信装置への第１の信号を送信する際の強度である送信強度とを対応づける送信強度情報を保持し、
保持する前記送信強度情報の送信強度順に前記第１の信号の送信順序を決定し、
前記複数の他の通信装置それぞれに対応する前記送信強度の前記第１の信号を、決定した前記送信順序で前記複数の他の通信装置へ送信する
ことを特徴とする通信装置。
【請求項８】
前記複数の他の通信装置と前記複数の他の通信装置が前記第１の信号を受信する際の強度である受信強度のうち下限の受信強度とを対応づける下限受信強度情報を保持し、
前記複数の他の通信装置に所定の送信強度で前記第１の信号を送信し、
前記複数の他の通信装置から前記受信強度を含む第２の信号を受信すると、前記所定の送信強度と取得した前記受信強度と前記最小受信強度情報の前記最小の受信強度とに基づいて、新たな送信強度を決定し、
決定した前記新たな送信強度に基づいて前記送信強度情報を更新し、
前記第１の信号の送信順序を、高い送信強度から低い送信強度への送信強度降順および前記低い送信強度から前記高い送信強度への送信強度昇順で決定し、
前記第１の信号を前記送信強度降順で送信した後に前記送信強度昇順で送信する
ことを特徴とする請求項７に記載の通信装置。
【発明の詳細な説明】
【技術分野】
【０００１】
本発明は、光通信システムおよび通信装置に関する。
【背景技術】
【０００２】
局側光伝送路終端装置（Ｏｐｔｉｃａｌ  Ｌｉｎｅ  Ｔｅｒｍｉｎａｌ：以下、ＯＬＴ）と複数の宅内光伝送路終端装置（Ｏｐｔｉｃａｌ  Ｎｅｔｗｏｒｋ  Ｕｎｉｔ：以下、ＯＮＵ）が光ファイバを介して光通信を行なう受動光網（Ｐａｓｓｉｖｅ  Ｏｐｔｉｃａｌ  Ｎｅｔｗｏｒｋ：以下、ＰＯＮ）システムにおいて、消費電力を削減する技術がある。例えば、特許文献１には、「ＯＬＴでの送信パワーをＯＮＵ毎に低下させる」（要約参照）送信光制御方法が開示されている。
【先行技術文献】
【特許文献】
【０００３】
【特許文献１】特開２０１１−２４９８９８号公報
【発明の概要】
【発明が解決しようとする課題】
【０００４】
一般に、ＯＮＵが、ＯＬＴから送信された光信号を受信する場合、ＯＮＵの受信部において増幅器が用いられている。この増幅器は、利得を弱い信号に対しては大きく、強い信号に対しては小さく設定することで、信号の出力振幅を一定にする。この自動利得制御機能を、ＡＧＣ（Ａｕｔｏｍａｔｉｃ  Ｇａｉｎ  Ｃｏｎｔｒｏｌ）と呼ぶ。
【０００５】
特許文献１で開示されているＯＬＴからＯＮＵに送られる信号の光パワーを低下させるシステムでは、個々のＯＮＵ宛の信号に対して、それぞれのＯＮＵの受信部における最小受光もしくは最小受光に近い光パワーの信号を割振り、信号送信時の省電力化を行う。そのため、各ＯＮＵは、光パワーの異なる信号を受ける必要があり、光パワーの異なる信号を受信すると、ＡＧＣ機能によって利得を調整して、信号の振幅を一定にするので、その際に調整を行う時間（調整時間または応答時間）が発生する。
【０００６】
応答時間が発生すると、その間信号を受信することは出来ず、伝送効率の低下が生じる。また、応答時間が長いと、長時間信号を受信出来ないことで信号の同期外れが起きる。
【課題を解決するための手段】
【０００７】
上記課題を解決するために、本発明は、第１の装置と、第１の装置と接続される複数の第２の装置とを有し、第１の装置は、複数の第２の装置それぞれと複数の第２の装置それぞれへの下り信号を送信する際の強度である送信強度とを対応づける送信強度情報を保持し、保持する送信強度情報の送信強度に基づいて下り信号を送信する送信順序を決定し、複数の第２の装置それぞれに対応する送信強度の下り信号を、決定した送信順序で複数の第２の装置へ送信することを特徴とする通信システムを有する。
【発明の効果】
【０００８】
本発明により、ＯＮＵ側の受信部のＡＧＣ機能によって発生する利得の調整を行う時間を抑制することができる。
【０００９】
上記した以外の課題、構成及び効果は、以下の実施形態の説明により明らかにされる。  
【図面の簡単な説明】
【００１０】
【図１】ＰＯＮシステム構成図である。
【図２】ＯＬＴのブロック図である。
【図３】ＯＮＵのブロック図である。
【図４】ＯＮＵのＯＮＵ受信部のブロック図である。
【図５】下り信号の光パワーを低減するシーケンス図である。
【図６】差分値ランク対応テーブルである。
【図７】差分値ランク対応テーブルの別の実施例である。
【図８】ＯＮＵ光パワー管理テーブルである。
【図９】光パワー管理テーブルである。
【図１０】ＯＮＵランク管理テーブルである。
【図１１】ＯＬＴ２による下り信号の光パワーを低減するフローチャートである。
【図１２】受信レベルの変化を通知するのシーケンス図である。
【図１３】送信時の光パワーを低減した光信号の概略図である。
【図１４（ａ）】光パワーを低減した光信号のフレームをランク毎にソートする前の信号概略図である。
【図１４（ｂ）】光パワーを低減した光信号のフレームをランク毎にソートした後の信号概略図である。
【図１５】送信時の光パワーを低減した光信号のフレームをランク昇順からランク降順にソートして、送信する際の信号概略図である。
【図１６】光パワーをゆるやかに変化させる際の信号概念図である。
【図１７】光パワーの変化量を一定に変化させる際の信号概念図である。
【図１８】ランク毎に下り信号をソートし、且つ下り信号の光パワーをゆるやかに変化させる際の信号概念図である。
【図１９】ＯＬＴ２による下り信号のフレームをソートするフローチャートである。
【図２０】ランク毎に下り信号をソートし、且つ下り信号の光パワーをゆるやかに変化方法のシーケンス図である。
【発明を実施するための形態】
【００１１】
以下、本発明の実施例を図面を用いて説明する。（実施例１）
図１は本実施例のネットワーク構成を示している。上位ネットワーク網１、ＯＬＴ２、光スプリッタ３、ＯＮＵ４、ＯＮＵ５、ＯＮＵ４に接続する端末装置６、ＯＮＵ５に接続する端末装置７より構成される。
【００１２】
ＯＮＵ４及びＯＮＵ５、端末装置６及び端末装置７はそれぞれ２台のみ図示しているが、光スプリッタ３を経由して同様に複数台のＯＮＵがＯＬＴ２と接続されているものとする。図１でのＯＬＴ２とＯＮＵ４〜５は、ＯＮＵ４〜５からＯＬＴ２への上り方向の上り信号と、ＯＬＴ２からＯＮＵ４〜５への下り方向の下り信号で波長多重された光信号を用いて通信する。そのため上り方向と下り方向の信号が衝突することはない。なお、以下では、信号のことをフレームと呼ぶこともある。
【００１３】
一方で、複数のＯＮＵ４〜５は同じ送信波長で上り方向のデータを送出するため、時分割多重（ＴＤＭ：Ｔｉｍｅ  Ｄｉｖｉｓｉｏｎ  Ｍｕｌｔｉｐｌｅｘｉｎｇ）によってＯＬＴ２での光信号の受信が同じ時間に重ならないように、ＯＬＴ２が各ＯＮＵ４〜５の光送出時間（送信タイミング）をコントロールしている。
【００１４】
なお、送信タイミングを調整する方法として、動的帯域割当制御（ＤＢＡ：Ｄｙｎａｍｉｃ  Ｂａｎｄｗｉｄｔｈ  Ａｌｌｏｃａｔｉｏｎ）がある。全ＯＮＵの送信要求に基づき、各々のＯＮＵの上り方向の許可帯域と各々のＯＮＵからの送信タイミングを決定する。
【００１５】
図２は本実施例のＯＬＴ２の構成を示すブロック図である。ＯＬＴ２は、大きく、ＷＤＭ（Ｗａｖｅｌｅｎｇｔｈ  Ｄｉｖｉｓｉｏｎ  Ｍｕｌｔｉｐｌｅｘｉｎｇ）２０１、ＯＬＴ送信部２０２、下りフレーム処理部２０５、ＯＬＴ受信部２０６、クロック抽出部２０９、上りフレーム処理部２１０、ＯＬＴ制御部２１１、網ＩＦ（ＩｎｔｅｒＦａｃｅ）２１５を備える。ＯＬＴ送信部２０２は、光・電気変換部２０３、レーザダイオードドライバ（以下ＬＤ（Ｌａｓｅｒ  Ｄｉｏｄｅ）ドライバと略す）２０４を備える。
【００１６】
ＯＬＴ受信部２０６は、光・電気変換部２０７、ゲイン増幅部２０８を備える。ＯＬＴ制御部２１１は変調電流制御部２１２、読みだし制御部２１３、記憶部２１８を備える。記憶部２１８には、ＯＮＵ光パワー管理テーブル２１４、差分値ランク対応テーブル２１６、ＯＮＵランク管理テーブル２１７が格納される。
【００１７】
読み出し制御部２１３は、信号を貯め込むバッファ機能と、信号の電圧値を記憶する機能、記憶部２１７のテーブルを書き変える機能を有する。ＯＮＵ光パワー管理テーブル２１４には、詳細は後述するが、光信号を送信する際の光パワーのレベルを表すランクと光パワーの値が対応づけられている。差分値ランク対応テーブル２１６には、詳細は後述するが、光信号を送信する際の光パワーとＯＮＵ４が光信号を受信する際の光パワーとの差分値とランクが対応づけられている。ＯＮＵランク管理テーブル２１７には、詳細は後述するが、光信号を送信する宛先である各ＯＮＵ４と各ＯＮＵ４へ光信号を送信する際のランクが対応づけられている。
【００１８】
ＯＬＴ２がＯＮＵ４に送信する下りの光信号の流れは以下の通りである。網ＩＦ２１５は、ネットワーク１からの信号を受信する。信号は、一時的に下りフレーム処理部２０５に格納された後、下りフレーム処理部２０５によってＰＯＮ区間のオーバーヘッドを加えて電気の送信信号として生成され、電流ＬＤドライバ２０４に送信される。また、下りフレーム処理部２０５から読み出し制御部２１３にも信号は送信されて、読み出し制御部２１３は、信号に含まれる信号の宛先を示す情報である宛先情報を取得し、取得した宛先情報に対応した光信号送信時の光パワーの値をＯＮＵ光パワー管理テーブル２１４から取得して、変調電流制御部２１２に送る。変調電流制御部２１２は、送られた光パワーの値に応じた変調電流を電流ＬＤドライバ２０４に通知する。電流ＬＤドライバ２０４は、下りフレーム処理部２０５から送信されたＰＯＮ区間のオーバーヘッドを加えられた信号を光・電気変換部２０３へ送信するとともに、変調電流制御部２１２から通知された変調電流を光・電気変換部２０３へ流す制御をする。ＰＯＮ区間のオーバーヘッドを加えられた信号は、光・電気変換部２０３にて、変調電流に対応した光パワーの光信号に変換され、ＷＤＭ２０１を経てスプリッタ３に送られる。
【００１９】
ＯＬＴ２がＯＮＵ４から受信する上りの光信号は以下の通りに処理される。ＯＮＵ４から送られてきた上りの光信号はＷＤＭ２０１を経て、ＯＬＴ受信部２０６で受信される。その後、光・電気変換部２０７にて電気信号に変換された後、ゲイン増幅部２０８にて電気信号の電圧が増幅される。電気信号はクロック抽出部２０９でリタイミングが行われた後、上りフレーム処理部２１０にてＯＮＵ４が下り光信号を受信した際に光パワーをデータ化した値の情報である受信情報（以下、下り信号の受信情報）（後述）を抜き出し、主信号は網ＩＦ２１５へと送られる。ＯＮＵ４の下り信号の受信情報は、ＯＬＴ制御部２１１へと送られる。
【００２０】
図３は、本実施例のＯＮＵ４の構成を示すブロック図である。ＯＮＵ４は、ＯＬＴ２から下り光信号を受信し、ＯＬＴ２へ上り光信号を送信する。ＯＮＵ４は、大きく、ＷＤＭ３０１、ＯＮＵ受信部３０２、クロック抽出部３０３、下りフレーム処理部３０４、端末側送受信部３０５、上りフレーム処理部３０６、ＯＮＵ送信部３０９を備える。ＯＮＵ送信部３０９は、ＬＤドライバ３０７、電気・光変換部３０８を備える。
【００２１】
図４は、ＯＮＵ４内部のＯＮＵ受信部３０２の構成を示すブロック図である。ＯＮＵ受信部３０２は光・電気変換部４０１、前置増幅部４０２、後置増幅部４０３、データ変換部４０４を備える。
【００２２】
図３および図４を用いて、ＯＮＵ４が、ＯＬＴ２から受信する下り光信号の流れを説明する。ＯＬＴ２から送られてきた光信号はＷＤＭ３０１を通り、ＯＮＵ受信部３０２で受信された後、光・電気変換部４０１で電気信号に変換される。その後、前置増幅部４０２で電気信号を増幅させる。また、前置増幅部４０２では受信信号の光パワーを変換した電流をデータ変換部４０４に送る。後置増幅部４０３にてＡＧＣを行い、電気信号の振幅が一定となるように制御を行い、電気信号であるフレームはクロック抽出部３０３にてリタイミングが行われ、下りフレーム処理部３０４でＰＯＮ区間のオーバーヘッドが分離され、端末側送受信部３０５に送られる。受信レベル制御部３１０とデータ変換部４０４、受信レベル制御部３１０では、受け取った電流を元に、対応した受信した光信号の光パワーを算出し、デジタル値に変換する。デジタル値に変換した光パワー値は、受信レベル制御部３１０が記憶して、下り信号の受信情報として、上りフレーム処理部３０６に送られる。
【００２３】
ＯＮＵ４がＯＬＴ２に送信する上り光信号の流れは以下の通りである。端末側送受信部３０７から送信される信号は、上りフレーム処理部３０６にてＰＯＮ区間のオーバーヘッドが加えられ、組み立てられる。ここで組み立てられた信号に対して、前述した受信レベル制御部３１０から送られる下り信号の光パワーの受信値のデータである下り信号の受信情報を付与する。電気信号であるフレームは、ＯＮＵ送信部３０９のＬＤドライバ３０７で電流に変換され、電気・光変換部３１０にて光信号に変換された後、ＷＤＭ３０１を通り送信される。
【００２４】
図５は本実施例で行うＯＬＴ２からＯＮＵ４へ送信される下り信号の光パワーを低減するシーケンス図である。尚、このシーケンス図の方式が適用されるのは、ＯＮＵ４の電源起動後、ＰＯＮリンクが繋がってから、最初にＯＬＴ２からの信号をＯＮＵ４が受信したタイミングにおいて行うものとする。
【００２５】
まず、ＯＬＴ２が、ＯＮＵ４へ下り光信号の光パワーをＯＮＵ光パワー管理テーブル２１４を参照して選択する。ここでは、最大出力を表すランク１で送信するものとする（５１）。下り光信号を受けたＯＮＵ４は、受信レベル制御部３１０にてその受信した下り光信号の光パワーをデジタル値に変換し、デジタル値に変換した光パワー値の情報を下り信号の受信情報としてＯＬＴ２に送り返す（５２）。ＯＬＴ２ではその下り信号の受信情報含まれる下り光信号の光パワーの値と、ＯＬＴ２からＯＮＵ４へ送信した下り信号のランク１の最大出力の値との差分値を取り、予め用意しておいた、差分値ランク対応テーブル２１６を参照し、ＯＮＵ４へ送る下り光信号の光パワーのランクを決定する。以降、ＯＬＴ２からは決定したランクの光パワーで下り信号を送る（５３）。
【００２６】
図６は、差分値ランク対応テーブル２１６である。光パワーの差分値の情報であるパワーの差分情報６１、パワーの差分情報６１と対応づけられたランク情報６２を有する。パワーの差分情報６１で下り信号を送信した際の光パワーと、ＯＮＵ４が下り光信号を受信した際の光パワーとの差分を管理する。ランク情報６２で信号のランク情報を管理する。パワーの差分情報６１とランク情報６２の結びつきにより、下り光信号の差分値からランクを決定できる。本実施例では、差分値が０．０〜１．０ｄＢであればランク１、１．０〜２．０ｄＢであればランク２、２．０〜３．０ｄＢであればランク３…と、１ｄＢ刻みにランクを設定する。但し、ランクの設定方法は、実際に運用する系の状況に応じて、適切な値に可変することを可能とする。
【００２７】
図７は、図６の差分値ランク対応テーブル２１６の別実施例である受信値ランク対応テーブル７０である。ＯＮＵ４で受信した際の下り光信号の光パワーの情報であるＯＮＵで受信したパワー情報７１、ＯＮＵで受信したパワー情報７１と対応づけられたランク情報７２を有する。ＯＮＵで受信したパワー情報７１にて、ＯＮＵ４側で受信した下り光信号の光パワーを管理し、ランク情報７２はランク情報６２と同様に信号のランク情報を管理する。受信値ランク対応テーブル７０では、下り信号の受信情報に含まれるＯＮＵ４が下り光信号を受信した際の下り光信号の光パワーの値をＯＬＴ制御部２１１が入力して参照するだけで、ランクを決定することができる点が差分値ランク対応テーブル２１６とは異なる。図５の（５１）では、ＯＮＵ光パワー管理テーブル２１４を参照して最大出力を表すランク１を選択したが、受信値ランク対応テーブル７０では、ＯＬＴ２からＯＮＵ４へ初めに送信する際の送信パワーを予め固定することにより、ＯＮＵ４で受信した際の下り光信号の光パワーである受信レベルの値のみでランクを決定出来る事を特徴とする。
【００２８】
本実施例においては、１１ｄＢの下り光信号を初めに送信する場合として、受信レベルの値が１１〜１２ｄＢであればランク１、１２〜１３ｄＢであればランク２、１２〜１３ｄＢであればランク３…と１ｄＢ刻みにランクを設定する。但し、ランクの設定方法は、実際に運用する系に応じて、初めに送信する送信パワー、刻みなどを適切な値に可変出来るものとする。
【００２９】
図８は、ＯＬＴ２の記憶部２１８が保持するＯＮＵ光パワー管理テーブル２１４である。ランク情報８１、ランク情報８１と対応づけられたＯＬＴの送信パワー８２を有する。ランク情報８１で下り信号を送信する際の光パワーのランク情報を管理し、下り信号を送信する際の光パワーの値をＯＬＴの送信パワー８２で管理する。本実施例においては、下り信号を送信する際の光パワーの値が１１〜１２ｄＢであればランク１、１２〜１３ｄＢであればランク２、１２〜１３ｄＢであればランク３…と１ｄＢ刻みにランクを設定する。但し、ランクの設定方法は、実際に運用する系に応じて、下り信号を送信する際の送信パワー、刻みなどを適切な値に可変出来るものとする。
【００３０】
図９は、ＯＬＴ２の記憶部２１８が保持する光パワー管理テーブル９０である。ＯＮＵナンバー情報９１と、最小受光感度９２を有する。最小受光感度９２でＯＮＵの最小受光パワーである最小受光感度を管理し、ＯＮＵナンバー情報９１でどのＯＮＵの最小受光感度がいくつか、を管理することで、ＯＮＵの最小受光パワーをＯＮＵ毎に紐付けるテーブルである。
【００３１】
図１０は、ＯＮＵランク管理テーブル２１７であり、ＯＮＵナンバー情報１０１とＯＬＴ送信パワーランク情報１０２を有する。ＯＬＴから送信するパワーのランクをＯＬＴ送信パワーランク情報１０２で管理し、ＯＮＵナンバー情報１０１でどのＯＮＵに信号を送るかを管理することで、ＯＬＴからどのＯＮＵにどのランクのパワーの信号を送信するかを紐付けるテーブルである。
【００３２】
図１１は、図５のＯＬＴ２からＯＮＵ４へ送信される下り信号の光パワーを低減するシーケンスを実行するＯＬＴ２による下り信号の光パワーを低減するフローチャート図である。ＯＬＴ２は各ＯＮＵ４へ送信する下り信号の光パワーを制御するが、ここではＯＮＵ４の一つとして、ＯＮＵ＃１へ送信する下り信号の光パワーを低減する流れを説明する。
【００３３】
ＯＬＴ２のＯＬＴ制御部２１１の読み出し制御部２１３は、ＯＮＵ光パワー管理テーブル２１４のランク８１を参照して、最大出力を表すランク１に対応するＯＬＴの送信パワー８２から光パワーの値を取得し（１１２）、取得した光パワーの値のデータを変調電流制御部２１２に送る。変調電流制御部２１２は、送られた光パワーの値のデータに応じた変調電流のデータを電流ＬＤドライバ２０４に送る（１１３）。電流ＬＤドライバ２０４は、変調電流のデータに応じて最大出力を表すランク１の下り信号が送れるよう、下り信号の変調電流を制御する。そして、光・電気変換部２０３が変調電流を加えた下り信号を光信号に変換し（１１４）、ＷＤＭ２０１を介してＯＮＵ＃１宛てに送信する（１１５）。
【００３４】
ＯＮＵ＃１からの上り信号をＯＬＴ２のＯＬＴ受信部２０６が受信すると、上りフレーム処理部２１０が、上り信号から下り信号の受信情報を抜き出し、ＯＬＴ制御部２１１へ送る（１１６）。ＯＬＴ制御部２１１内の読み出し制御部２１３では、下り信号を送信した際にＯＮＵ光パワー管理テーブル２１４から取得したランク１に対応する光パワー（下り信号送信光パワー）の値から、送られた下り信号の受信情報に含まれるＯＮＵ＃１が下り信号を受信した際の下り信号の光パワー（下り信号受信光パワー）の値を差し引く。差し引くことで算出した下り信号送信光パワーと下り信号受信光パワーの差分値から、差分値ランク対応テーブル２１６のパワーの差分６１を参照してランク６２から新たなランクを決定する（１１７）。
【００３５】
この際、ＯＮＵ＃１宛ての新たに決定したランクのフレームがＯＮＵ＃１以外の他のＯＮＵ４に伝送される際、新たに決定したフレームの光パワーから他のＯＮＵ４までの伝送損失を差し引いた値が、他のＯＮＵ４の最小受光感度の値を上回っていないと、他のＯＮＵ４での受信が不可能である。受信が不可能だと、同期外れが起こり、そのフレームを含む信号の受信が出来なくなる。
【００３６】
ＯＮＵ４が信号を受信するためには、ランクを新たに決定したフレームの光パワーの値からそのＯＮＵ４までの伝送損失を差し引いた値が、必ずそのＯＮＵ４の最小受光感度を上回る条件を設ける必要がある。
【００３７】
以下にランクを新たに決定する際の条件式を示す。尚、新たに決定したランクの光パワーをＰ，特定のＯＮＵ４の最小受光感度の絶対値をＳ、特定のＯＮＵ４までの伝送損失の絶対値をＤとする。
【００３８】
前提として、ＳとＤを用いて、以下の式をＯＮＵ４毎に算出する。
Ｓ  -  Ｄ  ＝  Ｊ
ＳとＤの差であるＪを条件値としてＯＮＵ４毎に比べ、一番Ｊが低かったＯＮＵ４を、最も受信条件が悪いＯＮＵ４（以下、ＯＮＵＸ）と定義する。尚、Ｊは絶対値ではなく、正の値も負の値も取り得る数値と定義する。
【００３９】
ＯＮＵ＃１宛ての新たに決定したランクの光パワーであるＰと、ＯＮＵＸのＳ，Ｄを用いて、読み出し制御部２１３は、以下の条件式が成立するか判定する。（１１８）
Ｐ  -  Ｄ  ≧  - Ｓ
上記の式を満たしているようなら（１１８のＹｅｓ）、決定した新たなランクをＯＮＵランク管理テーブル２１７のＯＮＵナンバー情報１０１のＯＮＵ＃２に対応するＯＬＴ送信パワーランク情報１０２に書きこんで設定する。読み出し制御部２１３は、設定した新たなランクに対応する光パワーの値をＯＮＵ光パワー管理テーブル２１４を参照して取得し、取得した光パワーの値のデータを変調電流制御部２１２に送る。変調電流制御部２１２は、送られた光パワーの値のデータに応じた変調電流のデータを電流ＬＤドライバ２０４に送る。電流ＬＤドライバ２０４は、その変調電流のデータに応じた送信出力の下り信号が送れるよう、変調電流を制御する。そして、光・電気変換部２０３が変調電流を加えた下り信号を光信号に変換し、ＷＤＭ２０１を介してＯＮＵ＃２宛てに送信する（１１９）。
一方、１１８の条件を満たしていないようなら（１１８のＮｏ）、決定前のランクであるランク１をＯＮＵランク管理テーブル２１７のＯＮＵナンバー情報１０１のＯＮＵ＃２に対応するＯＬＴ送信パワーランク情報１０２に書きこんで設定し、１１９のステップと同様にＯＮＵランク管理テーブル２１７に設定した決定前のランクの光パワーの光信号を送信する（１２０）。
【００４０】
（１１８）の判定基準は、前述のＪ＝Ｓ−Ｄの値が最も低い、最小受光特性と伝送損失の条件が悪いＯＮＵＸに信号が届くか否かによって判定することで、全てのＯＮＵ４へ信号を送れるようにして同期外れを防ぐために設ける。この条件を満たさない光パワーの光信号がＯＮＵ４へ送信されると、Ｊの値が低いＯＮＵ４のＯＮＵ受信部３０２においては同期外れを起こす可能性がある。つまり、ＯＮＵ４の新たなランクを決定する際に、条件が最も厳しいＯＮＵＸへ届く、という条件を設ける必要がある。なお、伝送損失は、既知の方法にて測定され、ＯＬＴ２がＯＮＵ４毎に保持するものとする。
【００４１】
読み出し制御部２１３は決定したランクに対応する光パワーの値をＯＮＵ光パワー管理テーブル２１４を参照して取得し、取得した光パワーの値のデータを変調電流制御部２１２に送る。変調電流制御部２１２は、送られた光パワーの値のデータに応じた電流のデータを電流ＬＤドライバ２０４に送る。電流ＬＤドライバ２０４は、そのデータに応じた送信出力の下り信号が送れるよう、下り信号の電流を制御する。そして、光・電気変換部２０３が電流に変換された下り信号を光信号に変換し、ＷＤＭ２０１を介してＯＮＵ４宛てに送信する。
【００４２】
具体例を示す。なお、ＯＮＵ４をＯＮＵ＃１〜ＯＮＵ＃９で表現して説明する。ＯＬＴ２のＯＬＴ送信部２０２ではランク１の光信号である−１１ｄＢｍの光信号をＯＮＵ＃２に送る。ＯＮＵ＃１〜ＯＮＵ＃９の最小受光感度を、それぞれ−３０，−１８，−１８，−１８，−２０，−１８，−１８，−１８，−１６ｄＢｍとし、ＯＮＵ＃１〜ＯＮＵ＃９の伝送損失をそれぞれ１４，４，２，１，５，２，１，１，１ｄＢｍとする。Ｓ−Ｄ＝Ｊの式でＪを算出すると、Ｊは１６，１４，１６，１７，１５，１６，１７，１７，１５となり、Ｊが低いＯＮＵ＃２が最も条件の悪いＯＮＵＸとなる。ＯＮＵ＃２のＯＮＵ受信部３０２では、信号を−１５ｄＢｍとして受信した場合、−１５ｄＢｍの下り信号の受信情報をＯＮＵ送信部３０９からＯＬＴ２へ送り返す。ＯＬＴ２のＯＬＴ制御部２１１ではＯＬＴ２の送信値−１１ｄＢｍと、ＯＮＵ＃２の受信値−１５ｄＢｍを元に差分値４ｄＢｍを得る。４ｄＢｍは、差分値ランク対応テーブル２１６のパワーの差分６１を参照し、それに結びついたランク６２を参照して新たなランクであるランク４を決定する。決定されたランク４は、ＯＮＵ光パワー管理テーブル２１４のランク情報８１を参照して、それに結びついたＯＬＴの送信パワー８２を参照し、−１４ｄＢｍの送信パワーを決定する。この時、Ｐ−Ｄ≧Ｓに、Ｐ＝−１４、Ｄ＝４、Ｓ＝１８を代入して、
−１４（ｄＢｍ）−４（ｄＢｍ）≧  −  １８  （ｄＢｍ）
によりＰ−Ｄ≧Ｓが成立するので、ランク変更が許可される。
以降は決定したランク４の送信パワーで信号を送信する。
【００４３】
以上の方法により、下り信号の光パワーを低減することが出来て、変調電流制御部２１２の消費電力を低減することで、ＯＬＴ２の省電力化を実現出来る。
【００４４】
図１２は、ＯＮＵ４で受信した受信レベルが変化した場合に、ＯＬＴ２にその変化を通知するシーケンス図である。ＯＮＵ４の受信レベル制御部３１０で、ＯＮＵ４で受信した受信レベルを記憶する。尚、この方法を適用する際、受信レベル制御部３１０にＯＮＵ光パワー管理テーブル２１４もしくは受信値ランク対応テーブル７０を記憶して、参照して受信レベルの変化に対応するものとする。
【００４５】
ＯＬＴ２からの下り信号をＯＮＵ４が受け続けていて、記憶している受信レベル、つまり順序として１つ前の下り信号と比べて、受信レベルが伝送損失の変化等の理由で変化した場合、ＯＬＴ２に受信レベルの変化を通知し、ＯＬＴ２は、新たなランクをそのＯＮＵ４に対して割振り、動的にＯＬＴ２のＯＬＴ送信部２０２の光パワーの制御を行うことが可能である。
【００４６】
以下に動的な下り信号の光パワーの低減のシーケンスについて示す。ＯＮＵ４の受信レベル制御部３１０は、信号の受信情報の変化を検知した場合、つまり、受信した信号と１つ前に受信した信号の受信情報に所定の閾値以上の差がある場合、上りフレーム処理部３０８に受信した光信号の光パワーの受信値をデータ化した下り信号の受信情報を含むランク変更申請のデータを上り信号に付与して送る（１２２）。なお、所定の閾値とは、運用する通信システムによって適宜変更可能な閾値である。
【００４７】
上り信号である各フレームは、ＬＤドライバ３０７にて電流に変換され電気・光変換部３１０にて光に変換された後、ＷＤＭ３０１を介してスプリッタ３に送られる。上り信号を受信したＯＬＴ２は、上りフレーム処理部２１０にて上り信号の各フレームから下り信号の受信情報を含むランク変更申請のデータを取り出し、ＯＬＴ制御部２１１に送る。ＯＬＴ制御部２１１は、ランク変更申請のデータに含まれる下り信号の受信情報に基づいて、ＯＬＴ２は、図１１で説明した動作と同様に、図１１の１１８の判定によって、新たなランクを決定してＯＮＵランク管理テーブル２１７に設定し、新たなランクに対応する光パワーの値をＯＮＵ光パワー管理テーブル２１４から取得する。そして、ＯＬＴ制御部２１１は、取得した光パワーの値のデータを変調電流制御部２１２に送り、変調電流制御部２１２は、送られた光パワーの値のデータに応じた変調電流のデータを電流ＬＤドライバ２０４に送り、ＯＬＴ送信部２０６にて新たなランクに対応する光パワーの下り信号を送信する。
【００４８】
上記の通り、ＯＮＵ４からＯＬＴ２との状況を通じてそれに応じたランク変更申請のデータをＯＬＴ２が受信し、現状割り当てているランクから変更することにより、状況に応じた動的な下り信号の光パワーの低減を実現出来る。その結果、変調電流制御部２１２の消費電力を低減することで、ＯＬＴの省電力化を実現出来る。
【００４９】
この実施例を行って通常運転時の送信時の光パワーが制御された信号の概略図を図１３に示す。縦軸は光強度、横軸は時間を表している。信号１３１は従来のＯＬＴ２から送られる信号であり、フレーム１３１−１はＯＮＵ＃１に、フレーム１３１−２はＯＮＵ＃２に、フレーム１３１−３はＯＮＵ＃３に、フレーム１３１−４はＯＮＵ＃４に…と、各ＯＮＵに割り当てられている下り信号のフレームであり、光パワーは全て一律である。一方、信号１３２は本実施例において下り信号の光パワーを制御して、下り信号の光パワーを低減したものであり、それぞれ光パワーのランクが異なる。本実施例を行う際、ＯＬＴ２から送られる信号は、信号１３２のように、各ＯＮＵに割り当てられている、フレーム１３２−１、フレーム１３２−２、フレーム１３２−３、…と、各光パワーが異なる信号を束ねたものである。ＯＮＵ４のＯＮＵ受信部３０２では、ＯＮＵ４に対応したフレームだけではなく、信号１３１や信号１３２のように各ＯＮＵに割り当てられているフレームを全て束ねた下り信号を受信する必要があり、それは各ＯＮＵ共通の仕様になる。そのため、信号のランクが異なる信号を受ける必要があるので、ＯＮＵ４の受信側における信号の振幅が一定になるように、後置増幅部４０３にてＡＧＣが行われ、利得の調整を行うための時間（以下「応答時間」という。）が発生する。応答時間が発生すると、受信側であるＯＮＵ４での伝送効率が著しく低下する可能性があるが、以下で説明するように、ＯＬＴ２からの下り信号の各フレームをソートして送信することで、応答時間の発生を抑制する。
【００５０】
図１４（ａ）は、図１３の信号を用いてＯＮＵ４のＯＮＵ受信部３０２がＯＬＴ２からの下り信号を受信する際の信号概念図であり、図１４（ｂ）はＯＬＴ２のＯＬＴ制御部２１１にて下り信号の各フレームをソートして送信した時に、ＯＮＵ４のＯＮＵ受信部３０２にて下り信号を受信する際の信号概念図である。縦軸に電圧、横軸に時間をとっている。フレーム１４１−１、フレーム１４１−２、フレーム１４１−３、フレーム１４１−４、フレーム１４１−５、フレーム１４１−６、フレーム１４１−７が集合している信号１４１は図１３の信号１３１のように各ＯＮＵに割り当てられている下り信号である。ＯＬＴ２から信号を送る際に、光パワー順に関係無く並べた状態で信号を送ると、図１４（ａ）のようになる。これに対し、フレームをランク順、つまり、光パワー順にソートしたものが図１４（ｂ）である。光パワーのランクに関して無作為な並びで送る図１４（ａ）とは異なり、光パワーの強度順に信号を時間軸上に並べて送信する。このように、下り信号を光パワー順にソートを行うことにより、同ランク間の信号にはＡＧＣが不要なため、応答時間を削減することが出来る。尚、ソートする条件として、ランクの昇順、降順の２パターンを適用可能とする。図１４（ｂ）は、同じランクのフレームを並べ、また、ランク昇順にソートした信号である。
【００５１】
尚、本実施例では系に接続したＯＮＵ４を、ＯＮＵ＃１〜ＯＮＵ＃３２とし、各ＯＮＵに対応したフレームが信号に最低１フレーム入っているものとし、全てのＯＮＵに対応したフレームが含まれた時点で信号を一区切りし、その区切りの中でソートを行うものとする。図１４では１４１−１、１４１−２，１４１−３，１４１−４，１４１−５，１４１−６，１４１−７の各フレームが含まれた時点で一区切りとする。尚、この区切り方は一例であり、実際の系の用途、条件により区切り方は適宜変更可能なものとする。
【００５２】
図１９を用いて、ＯＬＴ２による下り信号のフレームをソートする手順について説明する。ＯＬＴ２の網ＩＦ２１５は、受信した信号を下りフレーム処理部２０５に送信し（１９２）、下りフレーム処理部２０５は、送信された信号を、ＯＬＴ制御部２１１内の読み出し制御部２１３に送信し、読み出し制御部２１３は送信された信号を貯め込む（１９３）。読み出し制御部２１３では、ＯＮＵランク管理テーブル２１７を参照して、ランク１０２の昇順、もしくは降順にＯＮＵ１０１をソートして、ＯＮＵランク管理テーブル２１７を変更する。貯め込んだフレームを変更したＯＮＵランク管理テーブル２１７順にソートする（１９４）。ソートされたフレームは、電流ＬＤドライバ２０４に送られ、光信号に変換されて下り信号として送られる（１９５）。
【００５３】
下り信号を光パワー順にソートを行うことにより、同ランク間の信号における応答時間を削減することが出来ることについて、図１４を用いて説明する。例えば、フレーム１４１−１とフレーム１４１−５は同じランク１に属しているので、フレーム１４１−１とフレーム１４３１−５を連続して送信することにより、フレーム１４１−１とフレーム１４１−５間の応答時間を削減することが出来る。また、フレーム１４１−１、フレーム１４１−２、フレーム１４１−３、フレーム１４１−７、はそれぞれランク１、４、７、２に属しているが、これをフレーム１４１−１、フレーム１４１−７、フレーム１４１−２、フレーム１４１−３の順に並べると、ランク順、１、２、４、７と光パワーが降順になり、各ランク間の差分が少なくなる分、ＯＮＵ受信部３０２内の後置増幅部４０３がＡＧＣを行い、信号の振幅を一定にするまでの時間、応答時間を短くすることができる。
【００５４】
図１５は、ＯＬＴ２から下り信号を送る際、ランク昇順からランク降順にフレームを並べて送る信号概念図である。
【００５５】
ランク昇順信号１５１はランク昇順にソートされたフレーム、ランク降順信号１５２はランク降順にソートされたフレームであり、フレームの並びは図１５のようにランク昇順信号１５１とランク降順信号１５２とを順に入れ替えて交互に並ぶ。これは、信号を送り終わった後、次の信号を送り終わる際のＯＮＵ受信部３０２のＡＧＣ機能による応答時間の発生・増加を防ぐためである。信号の終わりと、次に送る信号の始まりのフレームのランクが極端に異なると、それが原因でＯＮＵ受信部３０２のＡＧＣ機能による応答時間が発生し、長時間信号を受信出来ないことで信号の同期外れが起こりうる。
【００５６】
上記のランク昇順からランク降順で信号を送ることにより、ランク昇順信号１５１の最後に位置するフレームとランク降順信号１５２の最初に位置するフレームのランクの差を少なくすることができる。例えば、ランク昇順→ランク昇順と続けて昇順の信号を送った場合、ランク昇順の信号の最初は、送信するフレームの中で一番低いランクのフレーム、つまり、フレーム送信時の光パワーが一番高いフレームになり、ランク昇順の信号の最後は送信するフレームの中で一番高いランクのフレーム、つまり、光パワーが一番低いフレームになるので、信号間の繋ぎ目のランク差が大きくなる。これに対してランク昇順→ランク降順の順に信号を送った場合、ランク昇順の信号の最後は、送信するフレームの中で一番高いランクのフレーム、つまり、光パワーが一番低いフレームになり、ランク降順の信号の最初も、送信するフレームの中で一番高いランクのフレーム、つまり、光パワーが一番低いフレームになるので、信号の繋ぎ目のランク差が少なくなり、光パワーの差分が少なくなる。そのため、ＯＮＵ受信部３０２のＡＧＣ機能による信号の振幅を一定にするまでの時間、応答時間も少なくなる。このような信号の並びで送ることにより、応答時間の縮小と同期外れの防止を行う。
【００５７】
この実施例では、省電力効果を得られるのと同時に、ＯＮＵ４のＯＮＵ受信部３０２において発生するＡＧＣ機能の応答時間を短縮することにより、伝送効率を高く維持し、同期外れにも対応出来るＰＯＮシステムを実現することが出来る。また、１０Ｇｂ／ｓなどの高速通信では応答時間の発生により通信自体が出来なくなる可能性があったが、本実施例により応答時間を短縮することで、省電力効果を得ると同時に高速通信を行うことも可能になる。
（実施例２）
実施例２では、上記実施例１と同じようにＯＬＴ２からの下り信号の光パワーを低減した上で、ランクの異なる下り信号の光パワーをゆるやかに変えることにより、その信号を受信するＯＮＵ４のＯＮＵ受信部３０２においてＡＧＣ機能による応答時間が生じている間にも、ＯＬＴ２は下り信号を送り続け、信号の振幅を一定にする時間を少なくして応答時間を縮小し、伝送効率を上げる。尚、応答時間中に発生する信号は、隣接する２つの信号で、光強度の低い方のランクの信号側に属する。
【００５８】
図１６は信号の光パワーをゆるやかに変化する方法でのＯＮＵ４のＯＮＵ受信部３０２にて下り信号を受信する際の下り信号の光パワーの変化を表した信号概念図である。信号１６１は、ＯＬＴ２から下り光信号の光パワーをゆるやかに変化させてＯＮＵ４に送られ、ＯＮＵ４が受信する下り光信号である。信号の光パワーをゆるやかに変化する方法のシーケンスを説明する。ここでは、ＲＡＮＫ１の信号からＲＡＮＫ３の信号を送る場合を説明する。まず、ＯＬＴ２は、ＲＡＮＫ１の信号を送信し、その後に、ＲＡＮＫ２との信号とＲＡＮＫ３の信号を送るまで、変調電流を連続で減少させながら、信号を送り続ける。ＯＮＵ４では、受信した信号をＡＧＣ機能を使って一定の振幅になるよう調整を行って信号を読み取る。
【００５９】
以下に、図１６の下り信号の光パワーをゆるやかに変化する条件を示す。ＯＬＴ制御部２１１内の変調電流制御部２１４により、変調電流を制御して下り信号の光パワーを変化させる。図１６の下り信号の光パワーをゆるやかに変化する方法では下り信号の光パワーは絶えず変化させるものとするが、信号１６１の変化の流れとしては、ユーザデータを含む下り信号を送信している間は、下り信号の光パワーの変化量を少なくし、異なるランク間、つまり、ＯＮＵ受信部３０２のＡＧＣ機能による応答時間中の下り信号の光パワーの変化量を多くする。ユーザデータを含む下り信号を送信する同ランク間の下り信号の光パワーの変化量を少なくすることで、各ＯＮＵのＯＮＵ受信部３０２の最小受光感度を下回ってしまうのを防ぐ。
【００６０】
図１７は、下り信号の光パワーの変化量により各ＯＮＵの最小受光感度を下回らないことが見込まれる場合に適用する方法での下り信号の光パワーの変化を表した信号概念図である。応答時間中、それ以外に関わらず信号１７１の光パワーの変化量は一定であり、変調電流制御部２１２に変調電流を上げる、もしくは下げるという単純な命令のみで処理を行える。この方法の利点は、下り信号の光パワーの変化量が一定のため、下り信号の光パワーの制御が容易な点である。また、応答時間を縮小することができるだけでなく、下り信号の絶え間を無くすことにより同期外れを回避出来るシステムを実現出来る。
【００６１】
図１８はランク毎に下り信号をソートし、且つ下り信号の光パワーをゆるやかに変化させる方法での下り信号の光パワーの変化を表した信号概念図である。
【００６２】
図２０は、ランク毎に下り信号をソートし、且つ下り信号の光パワーをゆるやかに変化方法のシーケンス図である。複数のＲＡＮＫの信号をソートした後、ＲＡＮＫ１の信号からＲＡＮＫ３の信号を送る場合としている。まず、ＯＬＴ２の読み出し制御部２１３は、ＯＮＵランク管理テーブル２１７を参照して、貯め込んだフレームをランク１０２の昇順、または降順にＲＡＮＫ  別にフレームをソートし（２１１）、ＲＡＮＫ１のフレームを送信する。その後にＲＡＮＫ２、ＲＡＮＫ３のフレームを送るまで、変調電流を連続的に減少させながら、信号を送り続ける（２１２）。ＯＮＵ４では、受信した信号をＡＧＣ機能を使って一定のパワーになるよう調整を行って信号を読み込む（２１３）。
【００６３】
ランクの違う下り信号間の光パワーの変化をゆるやかにしつつ、ランク毎にソートしているので、信号１８１のように、別ランク間の遷移をゆるやかに行うことにより、同期外れを防ぎつつ、高速なシステムを使用することが出来る。この方法の利点は信号の同期外れを防ぎ、且つＯＮＵ受信部３０２のＡＧＣ機能の応答時間を削減・減少させることが出来る点にある。
【００６４】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（ＳｏｌｉｄＳｔａｔｅＤｒｉｖｅ）等の記録装置、または、ＩＣ（Ｉｎｔｅｇｒａｔｅｄ  Ｃｉｒｃｕｉｔ）カード、ＳＤカード、ＤＶＤ等の記録媒体に置くことができる。また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００６５】
１  上位ネットワーク網
２  局側光伝送路終端装置（ＯＬＴ）
４  宅内光伝送路終端装置（ＯＮＵ）
６  端末装置
２０２  ＯＬＴ送信部
２０５  下りフレーム処理部
２０６  ＯＬＴ受信部
２１０  上りフレーム処理部
２１１  ＯＬＴ制御部
２１２  変調電流制御部
２１４  ＯＮＵ光パワー管理テーブル
３０２  ＯＮＵ受信部
３０４  下りフレーム処理部
３０６  上りフレーム処理部
３０９  ＯＮＵ送信部
３１０  受信レベル制御部
【図１】
2014138228.tif 000003
【図２】
2014138228.tif 000004
【図３】
2014138228.tif 000005
【図４】
2014138228.tif 000006
【図５】
2014138228.tif 000007
【図６】
2014138228.tif 000008
【図７】
2014138228.tif 000009
【図８】
2014138228.tif 000010
【図９】
2014138228.tif 000011
【図１０】
2014138228.tif 000012
【図１１】
2014138228.tif 000013
【図１２】
2014138228.tif 000014
【図１３】
2014138228.tif 000015
【図１４（ａ）】
2014138228.tif 000016
【図１４（ｂ）】
2014138228.tif 000017
【図１５】
2014138228.tif 000018
【図１６】
2014138228.tif 000019
【図１７】
2014138228.tif 000020
【図１８】
2014138228.tif 000021
【図１９】
2014138228.tif 000022
【図２０】
2014138228.tif 000023